(57)【特許請求の範囲】
【請求項１】
受信信号を中間周波信号に変換するチューナーを有し、
上記中間周波信号をフィルタ手段を介して同期検波回路に供給して映像信号を取り出すテレビジョン受信装置において、
上記チューナーの局部発振信号と上記中間周波信号の高調波信号とのビート成分の周波数が上記フィルタ手段のトラップの周波数に一致するように上記中間周波信号の周波数を変化させる可変周波数発振手段を設け、
上記チューナーには、上記受信信号の上記中間周波信号への変換を行う周波数変換手段を有し、
上記可変周波数発振手段にて上記同期検波回路の検波用信号の周波数を変化させることにより、
上記周波数変換手段にて上記同期検波回路の検波用信号と周波数の一致される上記中間周波信号の周波数を変化させて、
上記チューナーの局部発振信号と上記中間周波信号の高調波信号とのビート成分を上記フィルタ手段のトラップの周波数に一致させる
ことを特徴とするテレビジョン受信装置。
【請求項２】
上記フィルタ手段には表面弾性波フィルタが用いられることを特徴とする請求の範囲第１項記載のテレビジョン受信装置。
【発明の詳細な説明】
技術分野
発明は、例えば携帯用の装置に使用して好適なテレビジョン受信装置に関する。特に、本発明は内部で用いられる中間周波信号の高調波信号とチューナーの局部発振信号との間で発生されるビート成分によって受信画像に障害が発生する恐れを解消するようにしたテレビジョン受信装置に関する。
背景技術
例えば携帯用のテレビジョン受信装置においては、ロッドアンテナ等の装置に直結されたアンテナを用いてテレビジョン信号の受信が行われる。その場合に、例えばテレビジョン受信装置の内部で用いられる中間周波信号の高調波信号が、このアンテナを通じてチューナーに飛び込み、この中間周波信号の高調波信号とチューナーの局部発振信号との間で発生されるビート成分によって受信画像に障害が発生する恐れがある。
このような障害に対して従来は、チューナーにシールドケースを設けるなどして、構造的に不要な信号がチューナーに飛び込まないようにしていた。しかしながらこのような構造的な対応のみでは障害の発生を防ぎきれない場合もあり、またこのようなシールドケース等の部品のコストや製造工数の増加、さらに製品の体積や重量の増加等の問題も生じるものである。
この出願はこのような点に鑑みて成されたものであって、簡単な構造で確実に障害の発生を防止することができるテレビジョン受信装置を提供することを目的とするものである。
発明の開示
本発明は、中間周波信号の周波数を変化させる可変周波数発振手段を設けて、チューナーの局部発振信号と中間周波信号の高調波信号とのビート成分の周波数がフィルタ手段のトラップの周波数に一致するようにしたものであり、これに関連してテレビジョン受信装置を開示する。
【図面の簡単な説明】
ＦＩＧ．１は、本発明の適用されるテレビジョン受信装置の一例の説明のための構成図である。
ＦＩＧ．２は、その動作の説明のための周波数特性図である。
ＦＩＧ．３は、その動作の説明のための図である。
ＦＩＧ．４は、その動作の説明のためのフローチャート図である。
発明を実施するための最良の形態
以下、図面を用いて、本発明に係るテレビジョン受信装置について詳細に説明する。
本発明は、簡単な構造で、中間周波信号の高調波信号とチューナーの局部発振信号とのビート成分による受信画像の障害の発生を確実に防止しようとするものである。
このため本発明においては、受信信号を中間周波信号に変換するチューナーを有し、中間周波信号をフィルタ手段を介して同期検波回路に供給して映像信号を取り出すテレビジョン受信装置において、チューナーの局部発振信号と中間周波信号の高調波信号とのビート成分の周波数がフィルタ手段のトラップの周波数に一致するように中間周波信号の周波数を変化させる可変周波数発振手段を設ける。
そこで本発明の第１の実施例においては、次のような構成を提案する。すなわちＦＩＧ．１は、本発明によるテレビジョン受信装置の実施例の構成を示したブロック図である。
このＦＩＧ．１において、アンテナ１からの受信信号がチューナー２に供給される。このチューナー２では、受信信号が後述する局部発振器３からの局部発振信号によって中間周波信号に変換される。そしてこの変換された中間周波信号が、例えば表面弾性波（ＳＡＷ）フィルタ４からなるフィルタ手段を通じて、中間周波増幅（ＶＩＦ）回路５に供給される。
さらに、このＶＩＦ回路５からの映像中間周波信号が、後述するＰＬＬ検波回路６に供給され、このＰＬＬ検波回路６で検波された信号が映像復調回路７に供給されて映像信号が復調される。そしてこの復調された映像信号がＲＧＢ処理回路８を通じてカラー陰極線管（ＣＲＴ）９に供給されて、受信された映像信号の受像が行われる。
また、ＶＩＦ回路５からの音声中間周波信号が音声検波回路１０に供給される。そしてこの音声検波回路１０で検波された音声信号が音声処理回路１１を通じてスピーカ１２に供給されて、受信された音声信号の放音が行われる。
一方、上述のＰＬＬ検波回路６では、ＶＩＦ回路５から供給される映像中間周波信号が同期検波回路６１に入力される。そしてこの同期検波回路６１に可変周波数発振器（ＶＣＯ）６２からの発振信号（基準周波数信号）が供給されて映像信号の同期検波が行われている。
それと共に、このＶＣＯ６２からの発振信号とＶＩＦ回路５からの映像中間周波信号が位相検波器（φ）６３に供給される。そしてこの位相検波器６３で得られる位相差の検出信号がＶＣＯ６２に供給される。これによって、ＶＣＯ６２からの発振信号とＶＩＦ回路５からの映像中間周波信号の位相が一致するように、位相ロックループ（ＰＬＬ）が形成される。
また、このＶＣＯ６２からの発振信号（基準周波数信号）が、中間周波信号の周波数を一定に保つためのＡＦＴ回路１３に供給される。さらに上述のＶＩＦ回路５からの中間周波信号がＡＦＴ回路１３に供給される。そしてこのＡＦＴ回路１３では、例えばＶＣＯ６２からの基準周波数信号の周波数とＶＩＦ回路５からの中間周波信号の周波数とがそれぞれ電圧値に変換され、これらの電圧値の差分から、上述の２つの信号の周波数の差を示す信号が形成される。
さらにこの基準周波数信号と中間周波信号の周波数の差を示す信号が、システム制御用のマイクロコンピュータ１４に制御のためのデータとして供給される。そしてこのマイクロコンピュータ１４で形成された制御信号が、上述のチューナー２の局部発振器３に供給される。これによって、ＶＩＦ回路５からの中間周波信号の周波数がＶＣＯ６２からの基準周波数信号の周波数に等しくなるように、局部発振器３の発振周波数が制御される。
また、マイクロコンピュータ１４には、キーマトリクス装置１５からのキー入力信号と、リモートコントロール装置１６からの遠隔制御信号が供給される。さらにこのマイクロコンピュータ１４の内で形成された制御データ等が不揮発メモリ（ＮＶＭ）１７に記憶され、またこの不揮発メモリ１７に記憶された制御データ等が読み出されてマイクロコンピュータ１４に供給されている。
従ってこの装置において、キーマトリクス装置１５やリモートコントロール装置１６でボタン操作等による使用者からの入力が検出される。そしてこの検出された入力信号がマイクロコンピュータ１４に供給され、あらかじめマイクロコンピュータ１４内のＲＯＭ（図示せず）等に記憶されているプログラムに従って、選局や音量調整、画質調整、管面表示等が行われる。
さらに入力信号が選局であるときは、マイクロコンピュータ１４で不揮発メモリ１７に記憶された後述する同調電圧が読み出され、この同調電圧がチューナー２に供給されて、選局された放送信号が受信され、それぞれ後段の回路で受信された映像信号及び音声信号が検波、復調される。
それと共に、チューナー２で受信された映像中間周波信号の周波数が、ＶＣＯ６２からの同期検波のための発振信号（基準周波数信号）の周波数に一致するように、局部発振器３の発振周波数が制御され、常に安定した受信が行われるようにＡＦＴ回路１３による制御が行われている。
そしてこの装置において、上述のＳＡＷフィルタ４の周波数特性は、例えばＦＩＧ．２に曲線で示すようになっている（Ａ、Ｂの曲線は同形）。すなわちこの特性例では、例えば５４．２５ＭＨｚと６０．２５ＭＨｚにトラップを有し、この間の周波数の信号を通過させるバンドパスフィルタの特性になっている。これによって、例えば上述の受信された映像信号及び音声信号のそれぞれ中間周波信号の帯域のみが取り出されて、ＶＩＦ回路５に供給されるようになされている。
ところがこの装置において、例えば映像中間周波信号の周波数に５８．７５ＭＨｚを用いている場合に、この信号の例えば３倍波の１７６．２５ＭＨｚの信号がロッドアンテナを通じてのチューナー２に飛び込む恐れがある。その場合に、この１７６．２５ＭＨｚの信号は、例えばＦＩＧ．３に示すように、日本のチャンネルプランで５チャンネルの映像信号周波数（１７７．２５ＭＨｚ）と１ＭＨｚしか離れておらず、この信号によって受信画像に障害が発生する恐れがある。
すなわち、例えば映像中間周波信号の周波数に５８．７５ＭＨｚを用いている場合に、５チャンネルの映像信号（１７７．２５ＭＨｚ）は、
１７７．２５＋５８．７５＝２３６ＭＨｚ
の局部発振信号により、５８．７５ＭＨｚの映像中間周波信号に変換される。
しかしこのとき、３倍波の１７６．２５ＭＨｚの信号は、
１７６．２５＋Ｘ＝２３６ＭＨｚ  ∴Ｘ＝５９．７５ＭＨｚ
の信号に変換される。そしてこの信号はＦＩＧ．２のＡに示すようにＳＡＷフィルタ４の通過帯域内にあり、このＳＡＷフィルタ４を通過してＶＩＦ回路５に供給されて、受信画像に障害が発生するものである。
そこでこの装置において、例えば５チャンネルが受信される際に、このような受信画像に障害が発生しないように、映像中間周波信号の周波数を変更する制御が行われる。すなわち、例えば上述のＶＣＯ６２からの発振信号の周波数を本来の５８．７５ＭＨｚから＋Δｆ変化させる。
一方、上述のＳＡＷフィルタ４のトラップの周波数を例えば６０．２５ＭＨｚとした場合に、上述の関係式は、
３×（５８．７５＋Δｆ）＋６０．２５＝２３６＋Δｆ
となる。これによって、Δｆ＝−０．２５ＭＨｚが求められる。
そしてこの場合に、本来の映像信号は、
１７７．２５＋Ｙ＝２３６−０．２５ＭＨｚ
∴Ｙ＝５８．５０ＭＨｚ
となり、この信号はＦＩＧ．２のＢに示すようにＳＡＷフィルタ４の通過帯域内にあって、この信号はＳＡＷフィルタ４を通過してＶＩＦ回路５に供給される。
さらにこのＶＩＦ回路５からの５８．５０ＭＨｚの映像中間周波信号は、ＰＬＬ検波回路６で、可変周波数発振器（ＶＣＯ）６２からの
５８．７５＋Δｆ＝５８．７５−０．２５
＝５８．５０ＭＨｚ
の発振信号によって同期検波されて受信された映像信号が検波される。
一方、このとき映像中間周波信号の３倍波の信号は、上述のように６０．２５ＭＨｚに変換されている。そしてこの６０．２５ＭＨｚに変換された信号は、ＦＩＧ．２のＢに示すようにＳＡＷフィルタ４のトラップの周波数に一致して除去され、従ってこの信号による受信画像への障害の発生が防止されるものである。
こうしてこの装置によれば、中間周波信号の周波数を変化させる可変周波数発振手段を設けて、チューナーの局部発振信号と中間周波信号の高調波信号とのビート成分の周波数がフィルタ手段のトラップの周波数に一致するようにしたことによって、簡単な構造で、中間周波信号の高調波信号とチューナーの局部発振信号とのビート成分による受信画像の障害の発生を確実に防止することができるものである。
従ってこのような本発明の装置を用いることによって、例えば変更された映像中間周波信号の３倍の周波数に対して、本来の映像信号をこの変更された映像中間周波信号の周波数に変換したのと同等の周波数変換が行われた際に、この変換された周波数が、上述のＳＡＷフィルタ４のトラップの周波数に一致していれば、この信号を除去して、受信画像への障害の発生を防止するを行うことができるものである。
これによって、従来のシールドケースを設けるなどの構造的な対応では充分な効果が得られない恐れがあり、また、部品のコストの増加等の問題も生じていたものを、本発明によればこれらの問題点を一掃することができるものである。
尚、上述した例において、例えば映像中間周波信号の３倍の周波数を局部発振信号によって変換した周波数が、ＳＡＷフィルタ４のトラップの周波数に一致していれば、この信号を除去することができるものであるが、この場合に、ＳＡＷフィルタ４のトラップの周波数は素子によってばらつきがあり、予め求められた値で一律に制御を行うことはできない。
そこでＦＩＧ．４のＡに示すフローチャートは、上述の可変周波数発振器で発振される必要な中間周波信号の周波数（５８．７５＋Δｆ）を決定するための調整手順を示すものである。なおこの調整は、例えば製品の製造工場での調整ラインや、修理の際にサービスマンによって行われるものである。
すなわちＦＩＧ．４のＡにおいて調整がスタートされると、まずステップ〔１１〕で中間周波信号の周波数（ＩＦ）を変更しようとするチャンネルが選局される。次にステップ〔１２〕で可変周波数発振器（ＶＣＯ）６２の発振周波数が変更される。そしてステップ〔１３〕で最適な受信状態か否か判断される。なお障害が発生している場合には受信画面上に鱗状の模様や縞模様が現れるので、このような模様を視認することによって障害の発生を判断することができる。
従ってこのような障害による模様が消えるまで、ステップ〔１２〕〔１３〕が繰り返される。そしてステップ〔１３〕で最適な受信状態と判断されたときは、ステップ〔１４〕でその時の可変周波数発振器（ＶＣＯ）６２の発振周波数のデータが不揮発メモリ（ＮＶＭ）１７に書き込まれる。さらにステップ〔１５〕で他のチャンネルのＩＦを変更するか否か判断され、変更するときはステップ〔１１〕に戻される。また、変更しないときは調整が終了される。
このようにして、必要な可変周波数発振器（ＶＣＯ）６２からの中間周波信号の周波数が決定され、決定された周波数のデータが不揮発メモリ（ＮＶＭ）１７に書き込まれる。そこでこの不揮発メモリ（ＮＶＭ）１７に書き込まれたデータを用いることによって、例えばＦＩＧ．４のＢのフローチャートに示すようにして受信が行われる。
すなわちＦＩＧ．４のＢにおいて受信のための動作がスタートされると、まずステップ〔２１〕で不揮発メモリ（ＮＶＭ）１７から選局したいチャンネルの可変周波数発振器（ＶＣＯ）６２の周波数のデータと、チューナー２の局部発振器３に供給される同調電圧のデータが読み出される。
次にステップ〔２２〕で読み出された周波数のデータがＰＬＬ検波回路６の可変周波数発振器（ＶＣＯ）６２に転送される。さらにステップ〔２３〕で読み出された同調電圧のデータがチューナー２の局部発振器３に転送される。これによって受信が開始され、上述の受信のための動作は終了されて、以後は通常の動作が行われる。なおこの受信のための動作は選局の度に実行されるものである。
こうして上述のテレビジョン受信装置によれば、受信信号を中間周波信号に変換するチューナーを有し、中間周波信号をフィルタ手段を介して同期検波回路に供給して映像信号を取り出すテレビジョン受信装置において、チューナーの局部発振信号と中間周波信号の高調波信号とのビート成分の周波数がフィルタ手段のトラップの周波数に一致するように中間周波信号の周波数を変化させる可変周波数発振手段を設けることにより、簡単な構造で確実に障害の発生を防止することができるものである。
なお、上述の装置において、音声中間周波信号の周波数も＋Δｆシフトされることになるが、このΔｆの周波数は上述の０．２５ＭＨｚ程度のものであり、これによって音声信号の検波、復調に問題が生じることはない。
また、上述の装置において、全てのチャンネルの中間周波信号の周波数を＋Δｆシフトした場合には、上述の５チャンネル以外の他のチャンネルに悪影響ができる恐れがある。また上述の装置によれば、受信される各チャンネル毎に中間周波信号の周波数を最適化することもできるものである。
さらに上述の実施例では、日本のテレビジョン放送のチャンネルプランに沿って説明を行ったが、他の国のチャンネルプランや放送の標準方式においても、それぞれの必要な周波数を定めることによって、本願の発明を適用することができるものである。また本発明は、本発明の主旨を大きく逸脱しない範囲で種々の変形が可能であることはいうまでもない。
【図１】
0003944912.tif 000002
【図２Ａ】
0003944912.tif 000003
【図２Ｂ】
0003944912.tif 000004
【図３】
0003944912.tif 000005
【図４Ａ】
0003944912.tif 000006
【図４Ｂ】
0003944912.tif 000007
0003944912.tif 000008